(57)【要約】【課題】必要な洗浄力を有し、食器洗い後の手肌の水分蒸散量増加を抑制でき、かつ、優れたスポンジへの染み込み性及び泡切れ性を有する、食器洗い用洗浄剤組成物を提供する。【解決手段】分岐鎖を含むアルキル硫酸塩を含有する食器洗い用洗浄剤組成物であって、該食器洗い用洗浄剤組成物の屈折率が０．１０以上０．３０以下であり、該食器洗い用洗浄剤組成物の粘度が８００ｍＰａｓ以上１８００ｍＰａｓ以下であり、該食器洗い用洗浄剤組成物は、該食器洗い用洗浄剤組成物の総量に対して、当該アルキル硫酸塩を０．１質量％以上４．０質量％以下含む、食器洗い用洗浄剤組成物。【選択図】なし【特許請求の範囲】
【請求項１】
分岐鎖を含むアルキル硫酸塩を含有する、食器洗い用洗浄剤組成物であって、
前記食器洗い用洗浄剤組成物の屈折率が、０．１０以上０．３０以下であり、
前記食器洗い用洗浄剤組成物の粘度が、８００ｍＰａｓ以上１８００ｍＰａｓ以下であり、
前記食器洗い用洗浄剤組成物は、該食器洗い用洗浄剤組成物の総量に対して、前記アルキル硫酸塩を０．１質量％以上４．０質量％以下含む、食器洗い用洗浄剤組成物。
【請求項２】
アミノ系界面活性剤と、アルキルエーテル硫酸塩と、水と、をさらに含有する、請求項１に記載の食器洗い用洗浄剤組成物。
【請求項３】
アルコール化合物の含有量が、前記食器洗い用洗浄剤組成物の総量に対して、１．５質量％以下である、請求項１又は２に記載の食器洗い用洗浄剤組成物。
【発明の詳細な説明】
【技術分野】
【０００１】
本発明は、食器洗い用洗浄剤組成物に関する。
【背景技術】
【０００２】
食器洗いの際に、素手で食器の表面を擦り、「キュキュッ」等という音を発生させることで食器汚れが残存していないことを確かめ、食器の洗浄度を判断する習慣がある。そのため、炊事用手袋を保有していたとしても、素手で食器を洗う人が多い。また、洗浄剤の原液を直接つけたスポンジを用いて食器を洗う習慣があり、洗浄剤に含まれる、高い濃度の界面活性剤組成物が、ぬれた手肌に触れる可能性が高い。よって、食器洗い用洗浄剤は、手肌に対して低刺激であり、かつ必要な洗浄力を有することが要求される。
【０００３】
また、近年は環境への配慮を考慮する消費者が増えており、生活排水を減らすことも環境への配慮の一環として考えられている。食器洗い用洗浄剤においては、例えば、すすぎ時の泡が切れる速度を早くすることで、炊事廃水を削減することが可能である。よって、高い泡切れ性も、食器洗い用洗浄剤において重要な性質である。
【０００４】
低刺激であることに対し、例えば非特許文献１では、一般的に食器洗い用洗浄剤に使用される陰イオン性界面活性剤であるポリオキシエチレンアルキルエーテル硫酸塩に対し、脂肪酸アミドアルキルベタインなどの両性界面活性剤を添加することで、皮膚の水分蒸散量増加を抑制し刺激性を低減できることが開示されている。また、特許文献１でも、ポリオキシエチレンアルキルエーテル硫酸塩と脂肪酸アミドアルキルベタインを併用し、優れた洗浄力とマイルドさを有する洗剤組成が開示されている。さらに、特許文献２では、粘度抑制剤としてアルコールを添加すると洗浄剤の粘度上昇問題を解決できることが開示されている。
【先行技術文献】
【特許文献】
【０００５】
【特許文献１】特表平１０−５０４０４９号
【特許文献２】特許第５０４１１１３号
【非特許文献】
【０００６】
【非特許文献１】A. Tegila and G. Sechi著、「Minimizing the Cutaneous Effects of Anionic Detergents」、Cosmetics and Toiletries magazine、Vol. 111、August 1996、p 61
【発明の概要】
【発明が解決しようとする課題】
【０００７】
しかしながら、非特許文献１及び特許文献１に記載するような洗浄剤組成物は、ポリオキシエチレンアルキルエーテル硫酸塩の添加量に対する脂肪酸アミドアルキルベタインの添加量の割合を増やすと、洗浄剤の粘度が過度に上昇してしまう場合がある。洗浄剤の粘度が過度に上昇すると、洗浄剤の原液を直接つけたスポンジを用いて食器等を洗う場合、洗浄剤をスポンジにつけた際、洗浄剤がスポンジ内部に染み込みにくくなってしまう場合がある。
【０００８】
この問題に対して、特許文献２に記載するように、アルコール類、例えばエタノールを添加することで、組成物の過度な粘度の上昇を抑制できるが、脂肪酸アミドアルキルベタインによる水分蒸散増加の低減効果が相殺されてしまう問題がある。
【０００９】
さらに、化粧料分野の洗浄剤組成物においてはアルコールフリー化による低刺激化が検討されているが、従来の食器洗い用洗浄剤組成物は、界面活性剤濃度が化粧料より高くする必要がある場合が多く、高粘度化を抑制する粘度調整剤としてのアルコールを含ませることが必要である。そのことから、これまで食器洗い用洗浄剤組成物のアルコールフリー化は、ほとんど検討されてきていない。
【００１０】
そこで、本発明は、必要な洗浄力を有し、食器洗い後の手肌の水分蒸散量増加を抑制でき、かつ、優れたスポンジへの染み込み性及び泡切れ性を有する、食器洗い用洗浄剤組成物を提供することを目的とする。
【課題を解決するための手段】
【００１１】
本発明者らは、上記従来技術の課題を解決するために鋭意研究を重ねた結果、分岐鎖を含む分岐アルキル硫酸塩を含有する食器洗い用洗浄剤組成物であって、当該組成物の屈折率と当該組成物の粘度と当該アルキル硫酸塩の含有量とが各々特定範囲にある食器洗い用洗浄剤組成物が、必要な洗浄力を有し、食器洗い後の手肌の水分蒸散量増加を抑制でき、かつ、優れたスポンジへの染み込み性及び泡切れ性を有することを見出し、本発明（に係る食器洗い用洗浄剤組成物）をなすにいたった。
【００１２】
具体的には、
［１］
分岐鎖を含むアルキル硫酸塩を含有する、食器洗い用洗浄剤組成物であって、
前記食器洗い用洗浄剤組成物の屈折率が、０．１０以上０．３０以下であり、
前記食器洗い用洗浄剤組成物の粘度が、８００ｍＰａｓ以上１８００ｍＰａｓ以下であり、
前記食器洗い用洗浄剤組成物は、該食器洗い用洗浄剤組成物の総量に対して、前記アルキル硫酸塩を０．１質量％以上４．０質量％以下含む、食器洗い用洗浄剤組成物。
［２］
アミノ系界面活性剤と、アルキルエーテル硫酸塩と、水と、をさらに含有する、［１］に記載の食器洗い用洗浄剤組成物。
［３］
アルコール化合物の含有量が、前記食器洗い用洗浄剤組成物の総量に対して、１．５質量％以下である、［１］又は［２］に記載の食器洗い用洗浄剤組成物。
【発明の効果】
【００１３】
本発明に係る食器洗い用洗浄剤組成物によれば、必要な洗浄力を有し、食器洗い後の手肌の水分蒸散量増加を抑制でき、かつ、優れたスポンジへの染み込み性及び泡切れ性を有する。
【発明を実施するための形態】
【００１４】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜に変形して実施できる。
【００１５】
〔食器洗い用洗浄剤組成物〕
本実施形態の食器洗い用洗浄剤組成物（以下、単に「洗浄剤組成物」、「組成物」ともいう。）は、分岐鎖を含むアルキル硫酸塩（以下、「分岐アルキル硫酸塩」、「分岐アルキル硫酸塩（ａ）」、「成分（ａ）」、「（ａ）」ともいう。）を含有する。また、本実施形態の洗浄剤組成物において、屈折率は０．１０以上０．３０以下であり、粘度は８００ｍＰａｓ以上１８００ｍＰａｓ以下である。さらに、本実施形態の洗浄剤組成物は、該洗浄剤組成物の総量（１００質量％）に対して、上記アルキル硫酸塩を０．１質量％以上４．０質量％以下含む。本実施形態の食器洗い用洗浄剤組成物によれば、必要な洗浄力を有し、食器洗い後の手肌の水分蒸散量増加を抑制でき、かつ、優れたスポンジへの染み込み性及び泡切れ性を有する。
【００１６】
また、洗浄剤組成物は、アミノ系界面活性剤（以下、「アミノ系界面活性剤（ｂ）」、「成分（ｂ）」、「（ｂ）」ともいう。）と、アルキルエーテル硫酸塩（以下、「アルキルエーテル硫酸塩（ｃ）」、「成分（ｃ）」、「（ｃ）」ともいう。）と、水（以下、「水（ｄ）」、「成分（ｄ）」、「（ｄ）」ともいう。）と、をさらに含有することが好ましい。また、ノニオン系界面活性剤（以下、「ノニオン系界面活性剤（ｅ）」、「成分（ｅ）」、「（ｅ）」ともいう。）をさらに含有していてもよい。
【００１７】
組成物の屈折率は、０．１０以上０．３０以下である。屈折率は、本実施形態の洗浄剤組成物中の界面活性剤の濃度及び均一性を測る指標となり得るものである。屈折率が０．１０以上であることにより、洗浄剤組成物が洗浄過程でその濃度が薄まった場合でも、必要な洗浄力を維持できる。また、屈折率が０．３０以下であることにより、食器洗い後の手肌の水分蒸散量増加を抑制でき、かつ優れた泡切れ性を有する。屈折率は０．１０以上であり、０．１５以上であると好ましい。また、屈折率は０．３０以下であり、０．２５以下であると好ましい。
【００１８】
屈折率は、ＪＩＳ  Ｋ  ００６２：１９９２に準拠して測定できる。屈折率計（株式会社アタゴ製、品番Ｒｘ−７０００ｉ）を用い、２０℃条件下で測定することができる。
【００１９】
組成物の粘度は、８００ｍＰａｓ以上１８００ｍＰａｓ以下である。例えば成分（ａ）、成分（ｂ）及び成分（ｃ）を含む組成物において、粘度が８００ｍＰａｓ以上であることは、成分（ｂ）が一定以上の割合で含まれることにより実現し、食器洗い後の手肌の水分蒸散量増加を抑制でき、また、例えば食器洗い用スポンジに組成物を使用した際により長くスポンジ上に組成物が留まることができる。また、粘度が１８００ｍＰａｓ以下であることにより、洗浄剤組成物のスポンジへの浸透速度を適切な範囲内にすることができ、また、例えば組成物を容器から容易に吐出することができる。粘度は８００ｍＰａｓ以上であり、８５０ｍＰａｓ以上であると好ましく、９００ｍＰａｓ以上であるとより好ましい。また、粘度は１８００ｍＰａｓ以下であり、１７００ｍＰａｓ以下であると好ましく、１６００ｍＰａｓ以下であるとより好ましい。
【００２０】
粘度は、ＪＩＳ  Ｚ  ８８０３：２０１１（９  単一円筒形回転粘度計による粘度測定方法）に準拠して測定できる。洗浄剤組成物を試料として、粘度計（ＢＲＯＯＫＦＩＥＬＤ社製のＢ型粘度計ＤＶ−Ｉ  Ｐｒｉｍｅ、スピンドル種類：ＬＶ−２）を用い、２０℃条件下で測定することができる。
【００２１】
上述した組成物の屈折率及び粘度は、後述する各種界面活性剤の組合せやその含有量により調整することができる。具体的には、屈折率は、成分（ｂ）、（ｃ）、（ｅ）のうち１種または２種以上の含有量により調整することができる。また、組成物の粘度は、成分（ａ）、（ｂ）の組み合わせや組成比により調整することができる。
【００２２】
＜分岐鎖を含むアルキル硫酸塩：成分（ａ）＞
本実施形態の成分（ａ）は、下記一般式（Ｉ）で示される粘度調整剤である。
Ｒ1−Ｏ−ＳＯ3Ｍ  ・・・（Ｉ）
式（Ｉ）中、Ｒ1は分岐鎖を含むアルキル基を示し、Ｍは金属原子である。
【００２３】
式（Ｉ）中のＲ1のアルキル基の主鎖の炭素数は、４以上１２以下であることが好ましい。主鎖の炭素数がこのような範囲内にあると、必要な洗浄力と食器洗い後の手肌の水分蒸散量増加の抑制とをより効果的に得られる傾向にある。主鎖の炭素数は４以上であることが好ましく、６以上であるとより好ましい。また、主鎖の炭素数は１２以下であることが好ましく、１０以下であるとより好ましい。
【００２４】
式（Ｉ）中のＲ1のアルキル基の分岐鎖の炭素数は、主鎖との結合部の炭素を除いて、１以上４以下であることが好ましい。分岐鎖の炭素数がこのような範囲内にあると、必要な洗浄力と食器洗い後の手肌の水分蒸散量増加の抑制とをより効果的に得られる傾向にある。分岐鎖の炭素数は１以上であることが好ましく、２以上であるとより好ましい。また、分岐鎖の炭素数は４以下であることが好ましく、３以下であるとより好ましい。
【００２５】
式（Ｉ）中のＭは、ナトリウム、又はカリウムを示すことが好ましく、ナトリウムを示すことがより好ましい。
式（Ｉ）で示される成分（ａ）は、式（Ｉ）中のＲ1のアルキル基の主鎖の炭素数が６であり、該アルキル基の側鎖の炭素数が２である場合に、下記一般式（ＩＩ）で示される成分である。
ＣＨ3（ＣＨ2）3ＣＨ（ＣＨ2ＣＨ3）ＣＨ2ＯＳＯ3Ｍ  ・・・（ＩＩ）
式（ＩＩ）中、Ｍは式（Ｉ）中におけるものと同義であり、金属原子を示す。
【００２６】
式（ＩＩ）中のＭも、ナトリウム、又はカリウムを示すことが好ましく、ナトリウムがより好ましい。
【００２７】
具体的な成分（ａ）としては、特に限定されないが、例えば、２−エチルヘキシル硫酸ナトリウムが挙げられる。
【００２８】
成分（ａ）は、１種を単独で用いてもよく、２種以上を併用してもよい。
【００２９】
組成物中の成分（ａ）の含有量は、該組成物の総量（１００質量％）に対して、０．１質量％以上４．０質量％以下である。成分（ａ）の含有量がこのような範囲内にあると、適正な粘度に調整でき、食器洗い後の手肌の水分蒸散量増加を抑制できる。成分（ａ）の含有量は、成分（ａ）の含有量は、０．３質量％以上４．０質量％以下であると好ましく、０．５質量％以上３．５質量％以下であるとより好ましく、１．０質量超過３．０質量％以下であるとより好ましい。
【００３０】
＜アミノ系界面活性剤：成分（ｂ）＞
本実施形態の成分（ｂ）は、下記一般式（ＩＩＩ）で示される両性界面活性剤である。
Ｒ2−ＣＯＮＨ−Ａ  ・・・（ＩＩＩ）
式（ＩＩＩ）中、Ｒ2はアルキル基を示し、Ａは、カルボン酸又は水酸基を有する有機基を示す。具体的なＡとしては、例えば、式（ＩＶ）又は式（Ｖ）で示す官能基である。
（ＣＨ2）ｘ−Ｎ+（ＣＨ3）2−ＣＨ2−ＣＯＯ−・・・（ＩＶ）
（ＣＨ2ＣＨ2Ｏ）ｙ−Ｈ  ・・・（Ｖ）
【００３１】
式（ＩＩＩ）中のＲ2の炭素数は、８以上２０以下であることが好ましい。Ｒ2の炭素数がこのような範囲内にあると、必要な洗浄力と食器洗い後の手肌の水分蒸散量増加の抑制とをより効果的に得られる傾向にある。式（ＩＩＩ）中のＲ2の炭素数は、偶数、奇数、又はそれらの混合で構成される。中でも、より優れた生分解性を示すためには、炭素数が偶数のみで構成されることが好ましい。
【００３２】
式（ＩＩＩ）中のＲ2は、炭素数８以上２０以下の混合物としても用いられる。式（ＩＶ）中のｘは、式（ＩＶ）を含む成分（ｂ）各分子のｘの平均値であり、１．０以上４．０以下であると食器洗い後の手肌の水分蒸散量増加をより抑制できるため好ましい。
【００３３】
式（Ｖ）中のｙは、式（Ｖ）を含む成分（ｂ）各分子のｙの平均値であり、１．０以上４．０以下であると組成物の生分解性が優れるため好ましく、１．５以上２．５以下であるとより好ましく、２．０以上３．０以下であるとさらに好ましい。
【００３４】
式（ＩＩＩ）で示される成分（ｂ）には、式（ＩＩＩ）中のＡが式（ＩＶ）で示され、かつ式（ＩＶ）中のｘが３である、下記一般式（ＶＩ）で示される成分を含むことができる。
Ｒ2−ＣＯＮＨ−（ＣＨ2）3−Ｎ+（ＣＨ3）2−ＣＨ2−ＣＯＯ-  ・・・（ＶＩ）
式（ＶＩ）中、Ｒ2は式（ＩＩＩ）におけるものと同義であり、アルキル基を示す。
【００３５】
具体的な成分（ｂ）としては、特に限定されないが、例えば、コカミドプロピルベタイン、及び脂肪酸アミドポリエトキシレートが挙げられる。
【００３６】
成分（ｂ）は、１種を単独で用いてもよく、２種以上を併用してもよい。
【００３７】
組成物中の成分（ｂ）の含有量は、該組成物の総量（１００質量％）に対して、３．０質量％以上１５質量％以下であることが好ましく、このような範囲内にあると、必要な洗浄力と優れた泡切れ性とをより効果的に発揮できる傾向にあり、食器洗い後の手肌の水分蒸散量増加をより抑制できる傾向にある。成分（ｂ）の含有量は、４．０質量％以上１５質量％以下であるとより好ましく、５．０質量％以上であるとさらに好ましく、６．０質量％以上であるとよりさらに好ましい。また、成分（ｂ）の含有量は、１４質量％以下であるとより好ましく、１３質量％以下であるとさらに好ましい。
【００３８】
＜アルキルエーテル硫酸塩：成分（ｃ）＞
本実施形態の成分（ｃ）は、アルキルエーテル硫酸塩であり、例えば下記一般式（ＶＩＩ）で示される成分である。また成分（ｃ）は陰イオン性界面活性剤（アニオン性界面活性剤）として機能させることができる。
Ｒ3−Ｏ−（ＣＨ2ＣＨ2Ｏ）ｚ−ＳＯ3Ｎ  ・・・（ＶＩＩ）
式（ＶＩＩ）中、Ｒ3はアルキル基を示し、Ｎは金属原子を示す。
【００３９】
式（ＶＩＩ）中のＲ3のアルキル基の炭素数は、１０以上１８以下であることが好ましい。Ｒ3のアルキル基の炭素数がこのような範囲内にあると、必要な洗浄力と食器洗い後の手肌の水分蒸散量増加の抑制とをより効果的に得られる傾向にある。炭素数は１０以上であることが好ましく、１２以上であるとより好ましい。また、炭素数は１８以下であることが好ましく、１６以下であるとより好ましく、１４以下であるとさらに好ましい。また、Ｒ3のアルキル基の炭素数は、偶数、奇数、又はそれらの混合で構成される。中でも、より優れた生分解性を示すためには、炭素数が偶数のみで構成されることが好ましい。
【００４０】
式（ＶＩＩ）中のＮは、ナトリウム、又はカリウムを示すことが好ましく、ナトリウムを示すことがより好ましい。
【００４１】
式（ＶＩＩ）中のｚは、成分（ｃ）各分子のｚの平均値であり、１．０以上３．０以下であると組成物の生分解性が優れる点で好ましく、１．０以上２．５以下であるとより好ましく、１．５以上２．５以下であるとさらに好ましい。
【００４２】
具体的な成分（ｃ）としては、特に限定されないが、例えば、ラウリルエーテル硫酸ナトリウムが挙げられる。
【００４３】
成分（ｃ）は、１種を単独で用いてもよく、２種以上を併用してもよい。
【００４４】
組成物中の成分（ｃ）の含有量は、該組成物の総量（１００質量％）に対して、１．０質量％以上１３質量％以下であることが好ましく、このような範囲内にあると、必要な洗浄力を発揮できる傾向にあり、２．０質量％以上１２質量％以下であるとより好ましく、４．０質量％以上１１質量％以下であるとさらに好ましく、６．０質量％以上９．０質量％以下であるとさらに好ましい。
【００４５】
＜水：成分（ｄ）＞
本実施形態の成分（ｄ）は、水であれば特に限定されない。
【００４６】
組成物中の成分（ｄ）の含有量は、該組成物の総量（１００質量％）に対して、６０質量％以上９５質量％以下であることが好ましく、７０質量％以上９０質量％以下であるとより好ましい。
【００４７】
＜ノニオン界面活性剤：成分（ｅ）＞
本実施形態の組成物は、上述した成分（ａ）、成分（ｂ）、成分（ｃ）及び成分（ｄ）以外にも、ノニオン界面活性剤（以下、「ノニオン界面活性剤（ｅ）」、「成分（ｅ）」、「（ｅ）」ともいう。）をさらに含有していてもよい。
【００４８】
ノニオン界面活性剤としては、特に限定されないが、例えば、ポリオキシエチレンアルキルエーテル、及びアルキルグリコシドが挙げられる。
アルキルグリコシドは、例えば下記一般式（ＶＩＩＩ）で示される成分である。
Ｒ4−（Ｏ−Ｇ）y−ＯＨ  ・・・（ＶＩＩＩ）
式（ＶＩＩＩ）中、Ｒ4は炭素数が８以上１８以下のアルキル基を示し、Ｇはグリコシド基を示す。
【００４９】
式（ＶＩＩＩ）中のＲ4の炭素数は、８以上１８以下であり、１０以上１６以下であることが好ましい。Ｒ4の炭素数がこのような範囲内にあると、必要な洗浄力と食器洗い後の手肌の水分蒸散量増加の抑制とを得られる。
【００５０】
式（ＶＩＩＩ）中のｙは、１以上３以下であり、１以上２以下であることが好ましい。ｙがこのような範囲内にあると、必要十分な洗浄力と食器洗い後の手肌の水分蒸散量増加の抑制とを得られる。
【００５１】
具体的なアルキルグリコシドとしては、特に限定されないが、例えば、ラウリルグルコシドが挙げられる。
【００５２】
ノニオン界面活性剤は、１種を単独で用いてもよく、２種以上を併用してもよい。
＜保存剤：成分（ｆ）＞
本実施形態の組成物は、上述した成分（ａ）、成分（ｂ）、成分（ｃ）、成分（ｄ）及び成分（ｅ）以外にも、保存剤（以下、「保存剤（ｆ）」、「成分（ｆ）」、「（ｆ）」ともいう。）をさらに含有していてもよい。
【００５３】
保存剤としては、特に限定されないが、例えば、ソルビン酸、ソルビン酸カリウム、Ｌ−乳酸、塩化ナトリウム、パラオキシ安息香酸ブチル、パラオキシ安息香酸プロピル、安息香酸ナトリウム、及びプロピオン酸ナトリウムが挙げられる。
【００５４】
保存剤は、１種を単独で用いてもよく、２種以上を併用してもよい。
【００５５】
組成物中の保存剤の急性経口毒性（ラットの半数致死量、ＬＤ５０、単位：ラットの体重（ｋｇ）あたりの投与重量（ｍｇ））は、２０００ｍｇ／ｋｇ以上であると、組成物の生分解性が優れる点で好ましく、３０００ｍｇ／ｋｇ以上であるとより好ましく、４０００ｍｇ／ｋｇ以上であるとさらに好ましい。
【００５６】
本実施形態において、経口毒性（半数致死量、ＬＤ５０）は、化学物質毒性データ総覧（Ｒｅｇｉｓｔｒｙ  ｏｆ  Ｔｏｘｉｃ  Ｅｆｆｅｃｔｓ  ｏｆ  Ｃｈｅｍｉｃａｌ  Ｓｕｂｓｔａｎｃｅｓ，ＲＴＥＣＳ）の値を用いる。
【００５７】
本実施形態の組成物において、アルコール化合物の含有量は、該組成物の総量（１００質量％）に対して、１．５質量％以下であることが好ましい。
【００５８】
上記のアルコール化合物とは、水酸基を有する化合物であれば特に限定されないが、例えば、メタノール、エタノール、プロピルアルコール、イソプロピルアルコール、ブチルアルコール、及びフェノキシエタノールが挙げられる。この中でも、エタノールの含有量が１．５質量％以下であることがより好ましく、１．０質量％以下であることがさらに好ましく、０．５質量％以下であることがよりさらに好ましく、検出限界値未満であってもよい。アルコール化合物の含有量が１．５質量％以下であることにより、食器洗い後の手肌の水分蒸散量増加をより抑制できる傾向にある。アルコール化合物の含有量は、例えばガスクロマトグラフィーにより測定できる。
【００５９】
本実施形態の組成物は、上記成分のほかにも、さらに添加剤を含有していてもよい。添加剤としては、特に限定されないが、例えば、香料、色素、助剤、安定化剤及び天然抽出物が挙げられる。
【００６０】
本実施形態の組成物の水分蒸散増加量は、三次元皮膚モデルにおける水分蒸散増加量であり、５．０ｇ／（ｍ2・ｈ）以下であることが好ましく、４．０ｇ／（ｍ2・ｈ）以下であることがより好ましく、３．０ｇ／（ｍ2・ｈ）以下であることがさらに好ましい。
【００６１】
水分蒸散増加量は、恒温恒湿室（温度２３〜２８℃、相対湿度１５〜２５％）にてアサヒバイオメッド社の商品名「ＶＡＰＯＳＣＡＮ」を用いて測定することができる。具体的には、後述する実施例に記載の方法により測定できる。
【００６２】
本実施形態の組成物の生分解性は、ＯＥＣＤテストガイドラインの３０１Ａによる生分解性であり、易分解性の観点から、生分解度が１０％を超えた日から７０％を超えた日まで１０日未満であることが好ましい。また、生分解度が１０％を超えた日から７０％を超えた日まで８日以内であるとより好ましく、７日以内であるとさらに好ましい。
【００６３】
本実施形態の洗浄剤組成物は、各成分の原料を攪拌機により均一に混合して調製することにより得られる。
【実施例】
【００６４】
以下、具体的な実施例及び比較例を挙げて本実施形態をさらに具体的に説明するが、本実施形態はその要旨を超えない限り、これらの実施例と比較例によって何ら限定されるものではない。後述する実施例及び比較例における物性及び評価は、以下の方法により測定及び評価された。
【００６５】
（物性１）屈折率
組成物の屈折率は、ＪＩＳ  Ｋ  ００６２：１９９２に準拠して測定した。後述する各洗浄剤組成物を試料として、屈折率計（株式会社アタゴ製、品番「Ｒｘ−７０００ｉ」）を用い、２０℃条件下で測定した。
【００６６】
（物性２）粘度
組成物の粘度は、ＪＩＳ  Ｚ  ８８０３：２０１１（９  単一円筒形回転粘度計による粘度測定方法）に準拠して測定した。後述する各洗浄剤組成物を試料として、粘度計（ＢＲＯＯＫＦＩＥＬＤ社製のＢ型粘度計「ＤＶ−Ｉ  Ｐｒｉｍｅ」、スピンドル種類：ＬＶ−２）を用い、回転数１２ｒｐｍ、２０℃の条件下で測定した。
【００６７】
（評価１）洗浄力
モデル汚れ（総量１００質量％に対して、牛脂１９質量％、植物油１４質量％、スキムミルク１１質量％、小麦粉１９質量％、水３７質量％を均一になるように混合し、上記成分の合計質量に対し色材０．２質量％を加えた）５．０ｇを陶器製皿（玉渕９吋リムミート皿、直径２３．３ｃｍ）にのせ、モデル汚れ皿とした。新品の市販スポンジ（スコッチブライトスポンジたわし、３Ｍ社製）に後述する各洗浄剤組成物２．０ｇと水１５０ｍＬを含ませ、ステンレスボール（直径４５ｃｍ）の中で泡立てた。スポンジに泡をつけた状態で、モデル汚れ皿の表面を時計回りで１０回、反時計回りで１０回洗った。
【００６８】
＜評価基準＞
モデル汚れ皿を洗い続け、上記のステンレスボールに入っている洗浄剤組成物と水との水溶液表面の泡がなくなったとき、それまでに洗浄した皿の枚数を確認し、洗浄剤組成物の洗浄力を下記の基準で評価した。
○：５枚以上
△：３〜４枚
×：２枚以下
【００６９】
（評価２）水分蒸散増加量
三次元皮膚モデル（Ｊ−ＴＥＣ社製商品名「ＥＰＩＭＯＤＥＬ２４」）を用い、ＯＥＣＤ評価方法（ＴＧ４３９）に準拠し、洗浄剤組成物の刺激性を評価した。具体的には、まず、皮膚モデルを、３７℃、ＣＯ2濃度５〜１０％、湿度９０％以上の環境下で２０〜２４時間の前培養を行った。次に、後述する各洗浄剤組成物を純水で２．０質量％に希釈したものを５０μＬ皮膚モデルの表面に１時間適用したのち、ＰＢＳ＋（ＳＩＧＭＡ  ＡＬＤＲＩＣＨ社商品名「Ｄ８６６２」）２５ｍＬで表面を洗浄した。その後、皮膚モデルを３７℃、ＣＯ2濃度５〜１０％、湿度９０％以上環境下で２４時間後培養したあと、恒温恒湿室（温度２３〜２８℃、相対湿度１５〜２５％）にてアサヒバイオメッド社の商品名「ＶＡＰＯＳＣＡＮ」を用いて水分蒸散量（ＴＥＷＬ）を測定した。ブランク（ＰＢＳ＋、ＳＩＧＭＡ  ＡＬＤＲＩＣＨ社商品名「Ｄ８６６２」を適用した皮膚モデル）を基準とし、洗浄剤組成物によるＴＥＷＬ増加量を下記式により計算した。
ＴＥＷＬ増加量＝（組成物のＴＥＷＬ測定値のｎ数が３の平均値）−（ブランクのＴＥＷＬ測定値のｎ数が３の平均値）
【００７０】
＜評価基準＞
上記で計算して得られたＴＥＷＬの増加量から、洗浄剤組成物の水分蒸散増加量を下記の基準で評価した。
◎：ＴＥＷＬの増加量が３．０ｇ／（ｍ2・ｈ）未満
○：ＴＥＷＬの増加量が３．０ｇ／（ｍ2・ｈ）以上４．０ｇ／（ｍ2・ｈ）未満
△：ＴＥＷＬの増加量が４．０ｇ／（ｍ2・ｈ）以上５．０ｇ／（ｍ2・ｈ）未満
×：ＴＥＷＬの増加量が５．０ｇ／（ｍ2・ｈ）以上
【００７１】
（評価３）泡切れ性
新品の市販スポンジ（スコッチブライトスポンジたわし、３Ｍ社製）に後述する各洗浄剤組成物０．５ｇと水９．５ｇとを含ませ、プラスチックビーカーに泡を落としながら２０回もみ、泡立たせた。次に、３Ｌ／分で流れる水道水で、スポンジをもみながら、上述のビーカー及びスポンジの泡をすすいだ。
【００７２】
＜評価基準＞
すすぎはじめからスポンジから泡が出なくなるまでの時間を測定し、洗浄剤組成物の泡切れ性を下記の基準で評価した。
○：すすぎはじめからスポンジから泡が出なくなるまでの時間が２７秒未満
△：すすぎはじめからスポンジから泡が出なくなるまでの時間が２７秒以上３０秒未満
×：すすぎはじめからスポンジから泡が出なくなるまでの時間が３０秒以上
【００７３】
（評価４）スポンジ浸透速度
始めに、新品の市販スポンジ（スコッチブライトスポンジたわし、３Ｍ社製）の質量を測定した。スポンジを水道水で濡らし、しぼったあとの質量を測り、濡らす前の質量と比較することで、スポンジ中の水量を１０ｇに調整した。上述のぬれたスポンジに、後述する各洗浄剤組成物０．２ｍＬを、１ｍＬシリンジで測り取り、ぬれたスポンジの表面に滴下した。滴下した液滴がスポンジに浸透する様子を、接触角計（ＤＭ５０１、協和界面科学製）により観察した。
【００７４】
＜評価基準＞
スポンジ表面に洗浄剤の液滴を形成してから、液滴がスポンジに浸透し、スポンジ表面から液滴が見えなくなるまでの時間を測定し、洗浄剤組成物のスポンジ浸透速度を下記の基準で評価した。
○：洗剤がスポンジに浸透するまでの時間が１５秒未満
△：洗剤がスポンジに浸透するまでの時間が１５秒以上３０秒未満
×：洗剤がスポンジに浸透するまでの時間が３０秒以上
【００７５】
以下に、表１に示す組成の内容を示す。
分岐アルキル硫酸塩ａ−１（ＺＳＣＨＩＭＭＥＲ＆ＳＣＨＷＡＲＺ社製商品名「ＳＵＬＦＥＴＡＭ４１０５」、分岐アルキル硫酸塩ａ−１含有量４２質量％）
アミノ系界面活性剤ｂ−１（エボニックジャパン株式会社製商品名「ＴＥＧＯ  ＢＥＴＡＩＮ  Ｆ５０」、アミノ系界面活性剤ｂ−１含有量３８質量％）
アミノ系界面活性剤ｂ−２（Ｋａｏ  Ｃｈｅｍｉｃａｌｓ  Ｅｕｒｏｐｅ，Ｓ．Ｌ．製商品名「ＡＭＩＤＥＴ  Ｎ」、アミノ系界面活性剤ｂ−２含有量９３質量％）
アニオン系界面活性剤ｃ−１（ＢＡＳＦジャパン株式会社製商品名「ＴＥＸＡＰＯＮ  Ｎ７０」、アニオン系界面活性剤ｃ−１含有量７０質量％）
ノニオン系界面活性剤ｅ（ＢＡＳＦジャパン株式会社製商品名「ＧＬＵＣＯＰＯＮ  ＣＳＵＰ６００」、ノニオン系界面活性剤ｅ含有量５０質量％）
保存剤ｆ（関東化学社製安息香酸ナトリウム）
エタノール（関東化学社製）
安定化剤（関東化学社製「塩化ナトリウム」）
【００７６】
［実施例１〜４及び比較例１〜６］
表１に示す組成に従って実施例１〜４及び比較例１〜６の洗浄剤組成物を調製し、上述した測定及び評価を実施した。結果を表１に併記する。
【００７７】
【表１】
2017110215.tif 000002
【産業上の利用可能性】
【００７８】
本発明に係る食器洗い用洗浄剤組成物は、食器洗いの分野で好適に利用できる。